【誤訳訂正書】
【提出日】平成26年11月14日(2014.11.14)
【誤訳訂正１】
【訂正対象書類名】特許請求の範囲
【訂正対象項目名】全文
【訂正方法】変更
【訂正の内容】
【特許請求の範囲】
【請求項１】
（Ａ）Ｒ４ａ（ＯＲ５）ｂ（ＯＨ）ｃＳｉＯ（４−ａ−ｂ−ｃ）／２の平均組成式を有する第１ポリシロキサン、式中、Ｒ４は１〜２０個の炭素原子を有する一価の基であり、Ｒ５は１〜４個の炭素原子を有する一価の基であり、ａ、ｂ、およびｃは次の方程式を満たす：０．８≦ａ≦１．５，０≦ｂ≦０．３，０．００１≦ｃ≦０．５，および０．８０１≦ａ＋ｂ＋ｃ＜２、および
第１ポリシロキサンとは異なり、以下の式（Ｉ）によって表される環状ポリシロキサンを含む第２ポリシロキサンであって、前記第２ポリシロキサンは、３０００未満の重量平均分子量を有する直鎖ポリシロキサンを含むことが選択できるポリシロキサン成分である第２ポリシロキサン、
式（Ｉ）中、Ｒ１およびＲ２は、独立して、水素、Ｃ１〜Ｃ４のアルキル基、フェニル基、ハロゲン原子、水酸基、Ｃ１〜Ｃ４のアルコキシ基、または−Ｘ−Ｓｉ（ＯＲ３）３、ＸはＣ１−Ｃ４のアルキレン、Ｒ３はＣ１−Ｃ４のアルキルであり、
ｎは３〜６の範囲の整数であるが、それは式（Ｉ）における全ての繰り返し単位中のＲ１およびＲ２の少なくとも１つが−Ｘ−Ｓｉ（ＯＲ３）３であり、そのＲ１およびＲ２が、式（Ｉ）中のいかなる繰り返し単位においても同時に−Ｘ−Ｓｉ（ＯＲ３）３とはなり得ないことを条件とする、
【化１】
2012246482.tif 000001
（Ｂ）白色顔料、
（Ｃ）白色顔料を除く無機充填剤、ならびに
（Ｄ）縮合触媒
を含むポリシロキサン樹脂組成物。
【請求項２】
（Ａ）Ｒ４ａ（ＯＲ５）ｂ（ＯＨ）ｃＳｉＯ（４−ａ−ｂ−ｃ）／２の平均組成式を有する第１ポリシロキサン、式中、Ｒ４は１〜２０個の炭素原子を有する一価の基であり、Ｒ５は１〜４個の炭素原子を有する一価の基であり、ａ、ｂ、およびｃは次の方程式を満たす：０．８≦ａ≦１．５，０≦ｂ≦０．３，０．００１≦ｃ≦０．５，および０．８０１≦ａ＋ｂ＋ｃ＜２、および
第１ポリシロキサンとは異なり、環状ポリシロキサンを含む第２ポリシロキサンであって、前記第２ポリシロキサンは、３０００未満の重量平均分子量を有する直鎖ポリシロキサンを含むことが選択できるポリシロキサン成分である第２ポリシロキサン、
（Ｂ）白色顔料、
（Ｃ）白色顔料を除く無機充填剤、ならびに
（Ｄ）縮合触媒
を含むポリシロキサン樹脂組成物であって、
１００重量部の前記第１ポリシロキサンに対して、前記環状ポリシロキサンは２〜５０重量部であり、前記環状ポリシロキサンは、以下の式（Ｉ）によって表される環状ポリシロキサンであり、
式（Ｉ）中、Ｒ１およびＲ２は、独立して、水素、Ｃ１〜Ｃ４のアルキル基、フェニル基、ハロゲン原子、水酸基、Ｃ１〜Ｃ４のアルコキシ基、または−Ｘ−Ｓｉ（ＯＲ３）３、ＸはＣ１−Ｃ４のアルキレン、Ｒ３はＣ１−Ｃ４のアルキルであり、
ｎは３〜６の範囲の整数であるが、それは式（Ｉ）における全ての繰り返し単位中のＲ１およびＲ２の少なくとも１つが−Ｘ−Ｓｉ（ＯＲ３）３であり、そのＲ１およびＲ２が、式（Ｉ）中のいかなる繰り返し単位においても同時に−Ｘ−Ｓｉ（ＯＲ３）３とはなり得ないことを条件とする、
【化１】
2012246482.tif 000002
ポリシロキサン樹脂組成物。
【請求項３】
請求項２に記載のポリシロキサン樹脂組成物であって、１００重量部の前記第１ポリシロキサンに対して、前記環状ポリシロキサンは２〜２０重量部であるポリシロキサン樹脂組成物。
【請求項４】
請求項１に記載のポリシロキサン樹脂組成物であって、前記直鎖ポリシロキサンはＲ６ＯＳｉＲ７２Ｏ（ＳｉＲ７２Ｏ）ｄＳｉＲ７２ＯＲ６によって表され、式中、Ｒ６は水素または１〜４個の炭素原子を有する一価の基であり、Ｒ７は１〜２０個の炭素原子を有する一価の基であり、およびｄは０から４０の範囲の整数であるポリシロキサン樹脂組成物。
【請求項５】
（Ａ）Ｒ４ａ（ＯＲ５）ｂ（ＯＨ）ｃＳｉＯ（４−ａ−ｂ−ｃ）／２の平均組成式を有する第１ポリシロキサン、式中、Ｒ４は１〜２０個の炭素原子を有する一価の基であり、Ｒ５は１〜４個の炭素原子を有する一価の基であり、ａ、ｂ、およびｃは次の方程式を満たす：０．８≦ａ≦１．５，０≦ｂ≦０．３，０．００１≦ｃ≦０．５，および０．８０１≦ａ＋ｂ＋ｃ＜２、および
第１ポリシロキサンとは異なり、環状ポリシロキサンおよび３０００未満の重量平均分子量を有する直鎖ポリシロキサンを含む第２ポリシロキサン、
（Ｂ）白色顔料、
（Ｃ）白色顔料を除く無機充填剤、ならびに
（Ｄ）縮合触媒
を含むポリシロキサン樹脂組成物であって、
１００重量部の前記第１ポリシロキサンに対して、前記環状ポリシロキサンは１〜３０重量部であり、前記環状ポリシロキサンは、以下の式（Ｉ）によって表される環状ポリシロキサンであり、
式（Ｉ）中、Ｒ１およびＲ２は、独立して、水素、Ｃ１〜Ｃ４のアルキル基、フェニル基、ハロゲン原子、水酸基、Ｃ１〜Ｃ４のアルコキシ基、または−Ｘ−Ｓｉ（ＯＲ３）３、ＸはＣ１−Ｃ４のアルキレン、Ｒ３はＣ１−Ｃ４のアルキルであり、
ｎは３〜６の範囲の整数であるが、それは式（Ｉ）における全ての繰り返し単位中のＲ１およびＲ２の少なくとも１つが−Ｘ−Ｓｉ（ＯＲ３）３であり、そのＲ１およびＲ２が、式（Ｉ）中のいかなる繰り返し単位においても同時に−Ｘ−Ｓｉ（ＯＲ３）３とはなり得ないことを条件とする、
【化１】
2012246482.tif 000003
前記直鎖ポリシロキサンは１〜３０重量部であるポリシロキサン樹脂組成物。
【請求項６】
請求項５に記載のポリシロキサン樹脂組成物であって、１００重量部の前記第１ポリシロキサンに対して、前記環状ポリシロキサンは１〜２０重量部であり、前記直鎖ポリシロキサンは１〜２０重量部であるポリシロキサン樹脂組成物。
【請求項７】
請求項１のポリシロキサン樹脂組成物から作られる光電子デバイスのパッケージ。
【誤訳訂正２】
【訂正対象書類名】明細書
【訂正対象項目名】０００８
【訂正方法】変更
【訂正の内容】
【０００８】
ポリスチレン標準物を用いたゲル浸透クロマトグラフィー（ＧＰＣ）測定によると、オルガノシロキサン（Ａ）は、５００〜２０，０００、好ましくは１，０００〜１０，０００、およびより好ましくは２，０００〜８，０００の範囲において重量平均分子量を有している。同様に、ＧＰＣによって決定される成分（Ｅ）の平均分子量は、好ましくは３，０００〜１，０００，０００、より好ましくは１０，０００〜１００，０００である。
【誤訳訂正３】
【訂正対象書類名】明細書
【訂正対象項目名】００１１
【訂正方法】変更
【訂正の内容】
【００１１】
本発明の一態様によれば、ポリシロキサン樹脂組成物は、
（Ａ）Ｒ４ａ（ＯＲ５）ｂ（ＯＨ）ｃＳｉＯ（４−ａ−ｂ−ｃ）／２の平均組成式を有する第１ポリシロキサン、式中、Ｒ４は１〜２０個の炭素原子を有する一価の基であり、Ｒ５は水素または１〜４個の炭素原子を有する一価の基であり、ａ、ｂ、およびｃは次の方程式を満たす：０．８≦ａ≦１．５、０≦ｂ≦０．３、０．００１≦ｃ≦０．５、および０．８０１≦ａ＋ｂ＋ｃ＜２、および
第１ポリシロキサンとは異なり、環状ポリシロキサン、３０００未満の重量平均分子量を有する直鎖ポリシロキサン、およびそれらの組み合わせから成る群より選択される第２ポリシロキサン、を含むポリシロキサン成分、
（Ｂ）白色顔料、
（Ｃ）無機充填剤、
（Ｄ）触媒
を含む。
【誤訳訂正４】
【訂正対象書類名】明細書
【訂正対象項目名】００３３
【訂正方法】変更
【訂正の内容】
【００３３】
（Ａ２２）直鎖ポリシロキサン
直鎖ポリシロキサンは３０００未満の重量平均分子量を有し、Ｒ６ＯＳｉＲ７２Ｏ（ＳｉＲ７２Ｏ）ｄＳｉＲ７２ＯＲ６によって表される。式中、Ｒ６は水素、または１〜４個の炭素原子を有する一価の基であり、Ｒ７は１〜２０個の炭素原子を有する一価の基であり、およびｄは０から４０の範囲の整数である。